(57)【要約】【課題】表示画面内に表示されるカーソルおよび複数の表示オブジェクトの両方を見易くすることが可能な「情報処理装置および表示制御方法」を提供する。【解決手段】タッチパッド１０２の操作に応じてカーソルを表示画面上で移動させる表示位置制御部１１１と、カーソルが表示画面上で移動した場合、カーソルの表示サイズを、カーソルの移動後の表示位置に関連する表示オブジェクトの表示サイズに応じた表示サイズに変更する表示サイズ変更部１１２とを備えることにより、カーソルが所定の表示領域内に移動する毎に、カーソルの表示サイズが、移動後の表示位置に関連する表示オブジェクトの表示サイズに応じた表示サイズに自動的に変更されるようにする。【選択図】図１
2016139377.tif 000002
【特許請求の範囲】
【請求項１】
操作部の操作に応じてカーソルを表示画面上で移動させる表示位置制御部と、
前記表示位置制御部によって前記カーソルが前記表示画面上で移動した場合、前記カーソルの表示サイズを、前記カーソルの移動後の表示位置に関連する表示オブジェクトの表示サイズに応じた表示サイズに変更する表示サイズ変更部と
を備えることを特徴とする情報処理装置。
【請求項２】
前記表示サイズ変更部は、前記カーソルの移動により、当該カーソルが前記表示画面上の所定の表示領域内に位置した場合、前記カーソルの表示サイズを、当該所定の表示領域内に表示されている表示オブジェクトの表示サイズに応じた表示サイズに変更する
ことを特徴とする請求項１に記載の情報処理装置。
【請求項３】
前記表示サイズ変更部は、前記カーソルの移動により、当該カーソルが前記表示画面上の表示オブジェクト上に位置した場合、前記カーソルの表示サイズを、当該表示オブジェクトの表示サイズに応じた表示サイズに変更する
ことを特徴とする請求項１に記載の情報処理装置。
【請求項４】
前記表示サイズ変更部は、前記表示オブジェクトの表示サイズが大きいほど、前記カーソルの表示サイズが大きくなるように、前記カーソルの表示サイズを変更する
ことを特徴とする請求項１から３の何れか一項に記載の情報処理装置。
【請求項５】
情報処理装置におけるカーソルの表示を制御する表示制御方法であって、
前記情報処理装置の表示位置制御部が、操作部の操作に応じてカーソルを表示画面上で移動させる表示位置制御工程と、
前記情報処理装置の表示サイズ変更部が、前記表示位置制御工程にて前記カーソルが前記表示画面上で移動した場合、前記カーソルの表示サイズを、前記カーソルの移動後の表示位置に関連する表示オブジェクトの表示サイズに応じた表示サイズに変更する表示サイズ変更工程と
を含むことを特徴とする表示制御方法。
【発明の詳細な説明】
【技術分野】
【０００１】
本発明は、情報処理装置および表示制御方法に関し、特に、操作部の操作に応じてカーソルを表示画面上で移動できるようになされた情報処理装置および表示制御方法に用いて好適なものである。
【背景技術】
【０００２】
従来、各種情報処理装置では、表示画面上の表示オブジェクト（例えば、キー、アイコン等）を指示するためのカーソルを、操作部（例えば、マウス、タッチパッド等）の操作によって表示画面上で移動させて、任意の表示オブジェクト上に位置させることにより、当該表示オブジェクトを処理対象として選択することができるようになっている。
【０００３】
一般的に、カーソルには、他の表示内容の邪魔とならないようにするため、比較的小さい表示サイズのものが用いられている。しかしながら、カーソルの表示サイズを小さくすることにより、カーソルが見難くなって表示画面からカーソルを探し出すのが困難になるといったデメリットもある。そこで、従来、所定の条件を満たした場合に、カーソルの視認性を高めることができるように、カーソルの表示形態を変更する技術が考案されている。
【０００４】
例えば、下記特許文献１には、使用者が作業を中断した際（マウスカーソルが同一表示位置に一定時間以上表示されている場合）に、ユーザがマウスカーソルの表示位置を一瞬で発見できるように、マウスカーソルを強調表示（形状変更、拡大表示、表示色変更、ブリンク等）する技術が開示されている。
【０００５】
また、下記特許文献２には、カーソルが見えにくい環境下でもカーソルの視認性を向上させることができるように、ＬＣＤ画面の輝度データおよび周囲の輝度データの少なくとも一方に基づいて、カーソルの表示態様（大きさ、色、装飾表示、輝度）を変更してカーソルを強調表示する技術が開示されている。
【０００６】
また、下記特許文献３には、カーソルの大きさが極めて小さい場合であっても、容易にカーソルを見出すことができるように、マウスの移動速度が所定の速度閾値を超えた場合、カーソルイメージを強調表示する処理（例えば、カーソルの表示サイズを拡大する処理、カーソルの色を背景の補色にする処理、背景とカーソルとの輝度差を大きくする処理）を行う技術が開示されている。
【先行技術文献】
【特許文献】
【０００７】
【特許文献１】特開平３−１６３５９４号公報
【特許文献２】特開２０１１−６５４３１号公報
【特許文献３】特開平１０−２０７４４１号公報
【発明の概要】
【発明が解決しようとする課題】
【０００８】
しかしながら、一般的に、表示画面内には、様々な大きさの表示オブジェクトが存在する。それにも関わらず、特許文献１〜３に係る従来技術では、カーソルを強調表示したときのカーソルの大きさが一定である。このため、従来技術では、カーソルを強調表示して視認性を高めることができたとしても、表示オブジェクトに対してカーソルの表示サイズが大きすぎる場合、カーソルの背面に隠れて見えなくなる部分が拡大してしまい、表示オブジェクトが見難くなってしまう。
【０００９】
本発明は、このような問題を解決するために成されたものであり、表示画面内に表示されるカーソルおよび複数の表示オブジェクトの両方を見易くすることができるようにすることを目的とする。
【課題を解決するための手段】
【００１０】
上記した課題を解決するために、本発明では、操作部の操作に応じてカーソルを表示画面上で移動させることが可能に構成された情報処理装置において、カーソルが表示画面上で移動した場合、カーソルの表示サイズを、カーソルの移動後の表示位置に関連する表示オブジェクトの表示サイズに応じた表示サイズに変更するようにしている。
【発明の効果】
【００１１】
上記のように構成した本発明によれば、カーソルが表示画面上を移動する毎に、カーソルの表示サイズが、移動後の表示位置に関連する表示オブジェクトの表示サイズに応じた表示サイズに自動的に変更される。これにより、大きすぎるカーソルによって表示オブジェクトが隠れて見え難くなったり、カーソルが小さすぎてカーソル自体が見難くなったりしてしまうことを防止することができる。このため、本発明によれば、表示画面内に表示されるカーソルおよび複数の表示オブジェクトの両方を見易くすることができる。
【図面の簡単な説明】
【００１２】
【図１】本発明の第１実施形態に係る車載装置の機能構成例を示すブロック図である。
【図２】本発明の第１実施形態に係る車載装置が表示する表示画面の一例を示す図である。
【図３】本発明の第１実施形態に係る表示サイズ情報記憶部に記憶されている表示サイズ情報の一例を示す図である。
【図４】本発明の第１実施形態に係る車載装置による処理の一例を示すフローチャートである。
【図５】本発明の第１実施形態に係る車載装置によるカーソルの表示サイズの変更例を示す図である。
【図６】本発明の第２実施形態に係る車載装置の機能構成例を示すブロック図である。
【図７】本発明の第２実施形態に係る車載装置が表示する表示画面の一例を示す図である。
【図８】本発明の第２実施形態に係る表示サイズ情報記憶部に記憶されている表示サイズ情報の一例を示す図である。
【図９】本発明の第２実施形態に係る車載装置による処理の一例を示すフローチャートである。
【図１０】本発明の第２実施形態に係る車載装置によるカーソルの表示サイズの変更例を示す図である。
【発明を実施するための形態】
【００１３】
以下、本発明の一実施形態を図面に基づいて説明する。図１は、本発明の第１実施形態に係る車載装置１０の機能構成例を示すブロック図である。図１に示す車載装置１０は、特許請求の範囲に記載の情報処理装置の一例であって、自動車等の車両に搭載されている装置である。車載装置１０は、例えば、ナビゲーション機能、オーディオ機能等を備えている。なお、本発明の情報処理装置は、車載装置に限定されず、少なくともカーソルの移動操作が可能な操作部を備えた装置であれば、車載装置以外の他の装置（例えば、パーソナルコンピュータ等）であってもよい。
【００１４】
図１に示すように、車載装置１０は、ディスプレイ１０１、タッチパッド１０２および表示サイズ情報記憶部１０３を備えている。また、車載装置１０は、その機能構成として、表示制御部１１０を備えている。表示制御部１１０は、表示位置制御部１１１および表示サイズ変更部１１２を有している。
【００１５】
上記各機能ブロック１１０〜１１２は、ハードウェア、ＤＳＰ（Digital Signal Processor）、ソフトウェアの何れによっても構成することが可能である。例えばソフトウェアによって構成する場合、上記各機能ブロック１１０〜１１２は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１６】
ディスプレイ１０１は、各種情報（例えば、メニュー画面、地図画面、オーディオ操作画面等）を表示する。ディスプレイ１０１には、例えば液晶ディスプレイ、有機ＥＬディスプレイ等が用いられる。
【００１７】
表示制御部１１０は、ディスプレイ１０１による各種情報の表示を制御する。例えば、表示制御部１１０は、各種アプリケーション（例えば、ナビゲーションアプリ、オーディオアプリ等）の表示画面をディスプレイ１０１に表示させる。また、表示制御部１１０は、ディスプレイ１０１に表示された表示画面に選択可能な表示オブジェクトが表示されている場合、その表示画面上にカーソルを表示させる。
【００１８】
図２は、本発明の第１実施形態に係る車載装置１０が表示する表示画面の一例を示す図である。図２に示す表示画面２００は、ディスプレイ１０１に表示されるナビゲーションアプリの表示画面の一例である。表示画面２００は、表示領域Ａからなる第１の画面２００Ａと、表示領域Ｂ〜Ｄからなる第２の画面２００Ｂとを備えて構成されている。
【００１９】
第１の画面２００Ａは、車両の現在位置周辺の地図が表示される。第１の画面２００Ａの表示領域Ａには、表示オブジェクトとして、ボタンＡ０１〜Ａ０２が表示されている。
【００２０】
第２の画面２００Ｂは、車両の現在位置の近傍のお気に入りの施設を検索する際の検索条件を設定するための画面である。第２の画面２００Ｂの表示領域Ｂには、表示オブジェクトとして、ボタンＢ０１〜Ｂ０２が表示されている。また、第２の画面２００Ｂの表示領域Ｃには、表示オブジェクトとして、ボタンＣ０１〜Ｃ０２が表示されている。また、第２の画面２００Ｂの表示領域Ｄには、表示オブジェクトとして、アイコンＤ０１〜Ｄ０８が表示されている。
【００２１】
表示画面２００に表示されている各表示オブジェクトは、タッチパッド１０２の操作によってカーソルＰを移動させて指し示すことにより、選択操作が可能となっている。いずれかの表示オブジェクトの選択操作がなされると、選択された表示オブジェクトに応じた機能を、ナビゲーションアプリが実行するようになっている。
【００２２】
表示画面２００において、注目すべきは、表示領域Ａ〜Ｄ毎に、表示領域内に表示されている表示オブジェクトの表示サイズが異なるという点である。図２の例では、表示領域Ａ〜Ｄの表示オブジェクトの大小関係は、表示領域Ａ＜表示領域Ｂ＜表示領域Ｃ＜表示領域Ｄとなっている。
【００２３】
タッチパッド１０２は、各種操作（例えば、カーソルの移動操作、表示オブジェクトの選択操作等）を行うための操作部の一例である。タッチパッド１０２は、例えば、車両のセンターコンソールに設置されている。タッチパッド１０２は、平板状の操作面を有している。ユーザは、タッチパッド１０２の操作面上に指先を接触させたまま、指先を任意の方向に移動させることにより、ディスプレイ１０１に表示されている表示画面２００上のカーソルＰ（図２参照）を、指先の移動方向に応じた方向に移動させることができる。また、ユーザは、カーソルＰがいずれかの表示オブジェクトを指し示している状態のときに、タッチパッド１０２の操作面上でタップ操作を行うことにより、カーソルが指し示す表示オブジェクトの選択操作を行うことができる。なお、本発明の操作部は、タッチパッドに限らず、タッチパッド以外の他の装置（例えば、マウス、ジョイスティック、トラックボール等）であってもよい。
【００２４】
表示サイズ情報記憶部１０３は、表示画面上の所定の表示領域毎にカーソルの表示サイズが示された情報（以下、「表示サイズ情報」と称する）を記憶する。図３は、本発明の第１実施形態に係る表示サイズ情報記憶部１０３に記憶されている表示サイズ情報の一例を示す図である。
【００２５】
図３には、表示画面２００（図２参照）の表示領域Ａ〜Ｄ毎の表示サイズ情報が示されている。具体的には、表示画面２００が有する表示領域Ａ〜Ｄの各々に対して、カーソルの表示サイズが対応付けられている。各表示サイズには、その数値に応じた大きさのカーソルが対応付けられている。表示サイズの数値が大きいほど、より大きいカーソルが対応付けられている。各表示領域Ａ〜Ｄに対応付けられているカーソルの表示サイズは、その表示領域内に表示されている表示オブジェクトの表示サイズに応じたものとなっている。すなわち、各表示領域Ａ〜Ｄには、その表示領域内に表示されている表示オブジェクトの表示サイズが大きいほど、より大きいカーソルの表示サイズが対応付けられている。また、表示サイズ情報記憶部１０３においては、各表示領域Ａ〜Ｄに対し、その領域の範囲を示す座標値が予め対応付けられて記憶されている。
【００２６】
なお、図３では、表示画面２００の表示サイズ情報のみを示しているが、実際には、表示サイズ情報記憶部１０３には、車載装置１０が表示し得る複数の表示画面の各々に対して、表示サイズ情報が記憶されている。
【００２７】
表示制御部１１０の表示位置制御部１１１は、ディスプレイ１０１に表示された表示画面上にカーソルが表示されているときに、タッチパッド１０２の操作がなされた場合、タッチパッド１０２の操作に応じてカーソルを表示画面上で移動させる。
【００２８】
表示制御部１１０の表示サイズ変更部１１２は、表示位置制御部１１１の制御によってカーソルが表示画面上を移動した場合、カーソルの表示サイズを、カーソルの移動後の表示位置に関連する表示オブジェクトの表示サイズに応じた表示サイズに変更する。特に、本実施形態では、表示サイズ変更部１１２は、カーソルの移動により、当該カーソルが表示画面上の所定の表示領域内に位置した場合、カーソルの表示サイズを、表示サイズ情報記憶部１０３において当該所定の表示領域に対して予め対応付けられている表示サイズに変更する。すなわち、表示サイズ変更部１１２は、カーソルの表示サイズを、所定の表示領域内に表示されている表示オブジェクトの表示サイズに応じた表示サイズに変更する。
【００２９】
具体的には、表示サイズ変更部１１２は、カーソルの表示位置の座標値と、各表示領域Ａ〜Ｄの範囲を示す座標値とに基づいて、カーソルの表示位置が表示領域Ａ〜Ｄ内のいずれにあるかを特定する。そして、表示サイズ変更部１１２は、図３に示す表示サイズ情報を参照することにより、カーソルの表示サイズを、特定した表示領域に対応付けられている表示サイズへ変更する。
【００３０】
〔車載装置１０による処理の一例〕
図４は、本発明の第１実施形態に係る車載装置１０による処理の一例を示すフローチャートである。図４に示す処理は、例えば、カーソルによる表示オブジェクトの選択が可能な表示画面がディスプレイ１０１に表示されている間、車載装置１０によって実行される。
【００３１】
まず、表示位置制御部１１１が、カーソルの移動操作がなされたか否かを判断する（ステップＳ４０２）。表示位置制御部１１１は、タッチパッド１０２から所定の操作信号を受け取ったか否かによって、カーソルの移動操作がなされたか否かを判断することができる。ここで、カーソルの移動操作がなされていないと表示位置制御部１１１が判断した場合（ステップＳ４０２：Ｎｏ）、車載装置１０は、再度、ステップＳ４０２以降の処理を実行する。
【００３２】
一方、カーソルの移動操作がなされたと表示位置制御部１１１が判断した場合（ステップＳ４０２：Ｙｅｓ）、表示位置制御部１１１が、タッチパッド１０２から受け取った操作信号に応じて、表示画面上でカーソルを移動させる（ステップＳ４０４）。
【００３３】
その後、表示サイズ変更部１１２が、ステップＳ４０４でのカーソルの移動により、カーソルが表示画面のいずれの表示領域内に位置したかを特定する（ステップＳ４０６）。そして、表示サイズ変更部１１２が、カーソルの表示サイズを、表示サイズ情報記憶部１０３に記憶されている表示サイズ情報おいてステップＳ４０６にて特定された表示領域に対応付けられている表示サイズに変更する（ステップＳ４０８）。そして、車載装置１０は、再度、ステップＳ４０２以降の処理を実行する。
【００３４】
〔カーソルの表示サイズの変更例〕
図５は、本発明の第１実施形態に係る車載装置１０によるカーソルの表示サイズの変更例を示す図である。図５（ａ）は、カーソルＰの移動前の表示画面２００を示している。図５（ｂ）は、カーソルＰの移動後の表示画面２００を示している。
【００３５】
図５（ａ）では、カーソルＰは、表示領域Ａ内に位置している。このため、カーソルＰの表示サイズは、表示サイズ情報記憶部１０３（図３参照）にて表示領域Ａに対応付けられている表示サイズ「１」となっている。すなわち、カーソルＰの表示サイズは、表示領域Ａ内に表示されている表示オブジェクト（ボタンＡ０１〜Ａ０２）が見難くならない程度に、適度に見易い大きさとなっている。
【００３６】
図５（ｂ）では、表示領域Ａからの移動後のカーソルＰをカーソルＰ’と示している。カーソルＰ’は、表示領域Ｄ内に位置している。このため、カーソルＰ’の表示サイズは、表示サイズ情報記憶部１０３（図３参照）にて表示領域Ｄに対応付けられている表示サイズ「４」となっている。すなわち、カーソルＰ’の表示サイズは、表示領域Ｄ内に表示されている表示オブジェクト（アイコンＤ０１〜Ｄ０８）が見難くならない程度に、適度に見易い大きさとなっている。
【００３７】
以上説明したとおり、本発明の第１実施形態によれば、カーソルＰが表示画面２００上を移動する毎に、カーソルＰの表示サイズが、移動後の表示領域内に表示されている表示オブジェクトの表示サイズに応じた表示サイズに自動的に変更される。これにより、大きすぎるカーソルＰによって表示オブジェクトが隠れて見え難くなったり、カーソルＰが小さすぎてカーソルＰ自体が見難くなったりしてしまうことを防止することができる。このため、本発明の第１実施形態によれば、表示画面２００内のカーソルＰおよび複数の表示オブジェクトの両方を見易くすることができる。
【００３８】
次に、本発明の第２実施形態について説明する。第１実施形態では、表示画面に設けられている表示領域毎にカーソルの表示サイズを変更する例を説明したが、第２実施形態では、表示画面に設けられている表示オブジェクト毎にカーソルの表示サイズを変更する例を説明する。
【００３９】
図６は、本発明の第２実施形態に係る車載装置１０’の機能構成例を示すブロック図である。図６に示す車載装置１０’は、表示サイズ情報記憶部１０３、表示サイズ変更部１１２の代わりに、表示サイズ情報記憶部１０３’、表示サイズ変更部１１２’を備える点で、図１に示した車載装置１０と異なる。
【００４０】
表示サイズ情報記憶部１０３’は、表示画面上の表示オブジェクト毎に表示サイズ情報を記憶する。また、表示サイズ情報記憶部１０３’は、カーソルの標準サイズを記憶する。カーソルの標準サイズとは、カーソルが表示オブジェクトを選択していないときのカーソルの表示サイズである。
【００４１】
表示サイズ変更部１１２’は、カーソルの移動により、当該カーソルが表示画面上の表示オブジェクト上に位置した場合、カーソルの表示サイズを、表示サイズ情報記憶部１０３’において当該表示オブジェクトに対して予め対応付けられている表示サイズに変更する。すなわち、表示サイズ変更部１１２’は、カーソルの表示サイズを、当該カーソルが指し示している表示オブジェクトの表示サイズに応じた表示サイズに変更する。
【００４２】
また、表示サイズ変更部１１２’は、カーソルの移動により、当該カーソルが表示画面上のいずれの表示オブジェクト上にも位置しなくなった場合、カーソルの表示サイズを、表示サイズ情報記憶部１０３’に記憶されている標準サイズに変更する。
【００４３】
図７は、本発明の第２実施形態に係る車載装置１０’が表示する表示画面の一例を示す図である。図７に示す表示画面７００は、ディスプレイ１０１に表示されるナビゲーションアプリの表示画面の一例である。表示画面７００には、車両の現在位置周辺の地図が全体的に表示されている。表示画面７００には、表示オブジェクトとして、ボタン０１〜０５が地図上に重ねて表示されている。なお、表示画面７００では、表示画面２００の表示領域Ａ〜Ｄ（図２参照）のような表示領域の設定はなされていない。
【００４４】
表示画面７００に表示されている各ボタン０１〜０５は、タッチパッド１０２の操作によってカーソルＰを移動させて指し示すことにより、選択操作が可能となっている。いずれかのボタンの選択操作がなされると、選択されたボタンに応じた機能を、ナビゲーションアプリが実行するようになっている。表示画面７００において、注目すべきは、ボタン０１〜０２の表示サイズよりも、ボタン０３〜０５の表示サイズのほうが大きいという点である。
【００４５】
図８は、本発明の第２実施形態に係る表示サイズ情報記憶部１０３’に記憶されている表示サイズ情報の一例を示す図である。
【００４６】
図８には、表示画面７００（図７参照）のボタン０１〜０５毎の表示サイズ情報が示されている。具体的には、表示画面７００が有するボタン０１〜０５の各々に対して、カーソルの表示サイズが対応付けられている。各ボタン０１〜０５に対応付けられているカーソルの表示サイズは、そのボタンの表示サイズに応じたものとなっている。すなわち、各ボタン０１〜０５には、そのボタンの表示サイズが大きいほど、より大きいカーソルの表示サイズが対応付けられている。
【００４７】
例えば、図７に示したとおり、ボタン０１〜０２の表示サイズよりも、ボタン０３〜０５の表示サイズのほうが大きくなっている。これに応じて、図８の表示サイズ情報では、ボタン０１〜０２に対応付けられているカーソルの表示サイズ「２」よりも、ボタン０３〜０５に対応付けられているカーソルの表示サイズ「３」のほうが大きくなっている。
【００４８】
なお、表示サイズ情報記憶部１０３’においては、カーソルの標準サイズが予め定められている。カーソルの標準サイズとは、カーソルが表示オブジェクトを選択していないときのカーソルの表示サイズである。本実施形態では、カーソルの標準サイズとして、カーソルがボタン０１〜０５上に位置しているときのカーソルの表示サイズ（「２」または「３」）よりも小さい値（「１」）が設定されている。すなわち、カーソルがボタン０１〜０５上に位置したときに、カーソルの表示サイズが拡大されるようになっている。
【００４９】
なお、図８では、表示画面７００の表示サイズ情報のみを示しているが、実際には、表示サイズ情報記憶部１０３’には、車載装置１０’が表示し得る複数の表示画面の各々に対して、表示サイズ情報が記憶されている。
【００５０】
〔車載装置１０’による処理の一例〕
図９は、本発明の第２実施形態に係る車載装置１０’による処理の一例を示すフローチャートである。図９に示す処理は、例えば、カーソルによる表示オブジェクトの選択が可能な表示画面がディスプレイ１０１に表示されている間、車載装置１０’によって実行される。
【００５１】
まず、表示位置制御部１１１が、カーソルの移動操作がなされたか否かを判断する（ステップＳ９０２）。ここで、カーソルの移動操作がなされていないと表示位置制御部１１１が判断した場合（ステップＳ９０２：Ｎｏ）、車載装置１０’は、再度、ステップＳ９０２以降の処理を実行する。
【００５２】
一方、カーソルの移動操作がなされたと表示位置制御部１１１が判断した場合（ステップＳ９０２：Ｙｅｓ）、表示位置制御部１１１が、タッチパッド１０２から受け取った操作信号に応じて、表示画面上でカーソルを移動させる（ステップＳ９０４）。
【００５３】
その後、表示サイズ変更部１１２’が、カーソルの移動により、カーソルが所定の表示オブジェクト上に位置したか否かを判断する（ステップＳ９０６）。ここで、カーソルが所定の表示オブジェクト上に位置していないと表示サイズ変更部１１２’が判断した場合（ステップＳ９０６：Ｎｏ）、表示サイズ変更部１１２’が、カーソルの表示サイズを、標準サイズ（「１」）に変更する（ステップＳ９１０）。そして、車載装置１０’は、再度、ステップＳ９０２以降の処理を実行する。
【００５４】
一方、カーソルが所定の表示オブジェクト上に位置したと表示サイズ変更部１１２’が判断した場合（ステップＳ９０６：Ｙｅｓ）、表示サイズ変更部１１２’が、カーソルの表示サイズを、表示サイズ情報記憶部１０３’にて所定の表示オブジェクトに対応付けられている表示サイズに変更する（ステップＳ９０８）。そして、車載装置１０’は、再度、ステップＳ９０２以降の処理を実行する。
【００５５】
〔カーソルの表示サイズの変更例〕
図１０は、本発明の第２実施形態に係る車載装置１０’によるカーソルの表示サイズの変更例を示す図である。図１０（ａ）は、カーソルＰの移動前の表示画面７００を示している。図１０（ｂ）は、カーソルＰの移動後の表示画面７００を示している。
【００５６】
図１０（ａ）では、カーソルＰは、ボタン０１〜０５のいずれも選択していない状態となっている。このため、カーソルＰの表示サイズは、表示サイズ情報記憶部１０３’（図８参照）にて設定されている標準サイズ「１」となっている。すなわち、カーソルＰの表示サイズは、ボタン０１〜０５のいずれかを選択しているときよりも小さいものとなっている。
【００５７】
図１０（ｂ）では、図１０（ａ）の表示位置からの移動後のカーソルＰをカーソルＰ’と示している。カーソルＰ’は、ボタン０２上に位置している。このため、カーソルＰ’の表示サイズは、表示サイズ情報記憶部１０３’（図８参照）にてボタン０２に対応付けられている表示サイズ「２」となっている。すなわち、カーソルＰ’の表示サイズは、このカーソルＰ’が指し示しているボタン０２が見難くならない程度に、適度に見易い大きさとなっている。
【００５８】
以上説明したとおり、本発明の第２実施形態によれば、カーソルＰが表示画面７００上のボタン０１〜０５のいずれかを選択する毎に、カーソルＰの表示サイズが、選択されたボタンの表示サイズに応じた表示サイズに自動的に変更される。これにより、大きすぎるカーソルＰによってボタン０１〜０５が隠れて見え難くなったり、カーソルＰが小さすぎてカーソルＰ自体が見難くなったりしてしまうことを防止することができる。このため、本発明の第２実施形態によれば、表示画面７００内のカーソルＰおよびボタン０１〜０５の両方を見易くすることができる。
【００５９】
また、本発明の第２実施形態によれば、カーソルＰが表示画面７００上のボタン０１〜０５のいずれも選択していない場合には、カーソルＰの表示サイズが最も小さい標準サイズとなる。このため、本発明の第２実施形態によれば、カーソルＰがボタン０１〜０５のいずれも選択していないときに、カーソルＰによって表示画面の一部が見え難くなってしまうことを防止することができる。
【００６０】
なお、上記各実施形態では、カーソルの表示サイズを、所定の領域毎または所定の表示オブジェクト毎に予め対応付けておくようにしているが、本発明はこれに限らない。例えば、上記第１実施形態において、カーソルが所定の表示領域内に移動する毎に、その都度、その表示領域内に表示されている表示オブジェクトの表示サイズに基づいて、カーソルの表示サイズを算出するようにしてもよい。また、上記第２実施形態において、カーソルが表示オブジェクト上に移動する毎に、その都度、その表示オブジェクトの表示サイズに基づいて、カーソルの表示サイズを算出するようにしてもよい。
【００６１】
また、上記第１実施形態の構成と上記第２実施形態の構成とを組み合わせて実施するようにしてもよい。例えば、表示画面毎に、第１実施形態で説明したカーソルの表示サイズの変更方法、または、第２実施形態で説明したカーソルの表示サイズの変更方法のいずれか適用するようにしてもよい。具体的には、表示領域が設定されている表示画面がディスプレイ１０１に表示されているときには、第１実施形態で説明したように、表示領域毎にカーソルの表示サイズを変更し、表示領域が設定されていない表示画面がディスプレイ１０１に表示されているときには、第２実施形態で説明したように、表示オブジェクト毎にカーソルの表示サイズを変更するようにしてもよい。
【００６２】
また、上記各実施形態では、ナビゲーションアプリの表示画面を対象としているが、本発明はこれに限らない。例えば、オーディオアプリの表示画面、システムのメニュー画面等を対象としてもよい。
【００６３】
その他、上記各実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６４】
１０，１０’  車載装置（情報処理装置）
１０１  ディスプレイ
１０２  タッチパッド（操作部）
１０３，１０３’  表示サイズ情報記憶部
１１０  表示制御部
１１１  表示位置制御部
１１２，１１２’  表示サイズ変更部
【図１】
2016139377.tif 000003
【図２】
2016139377.tif 000004
【図３】
2016139377.tif 000005
【図４】
2016139377.tif 000006
【図５】
2016139377.tif 000007
【図６】
2016139377.tif 000008
【図７】
2016139377.tif 000009
【図８】
2016139377.tif 000010
【図９】
2016139377.tif 000011
【図１０】
2016139377.tif 000012